(57)【要約】【課題】凹状の空間部をなくして歩行の安全性を確保し、かつ安定した固定状態が得られる溝蓋の固定装置を提供する。【解決手段】蓋受枠２に螺子杆９を立設する一方、螺子杆９が挿通される透孔２０が形成された底板１９を下部に備える収納凹部１８を、螺子杆９に対応する溝蓋１３の所定位置に配設し、収納凹部１８内で螺子杆９に螺合されるナット部材２１を、その下端面が底板１９に当接した状態で上端面が溝蓋１３の上面と略面一となる長さ寸法で形成するとともに、ナット部材２１が挿通可能な挿通孔２５を開口したカバー板２４を、その上面が溝蓋１３の上面と略面一となる状態で収納凹部１８の上部に固設した。これにより、挿通孔２５から収納凹部１８内に挿入したナット部材２１を螺子杆９に螺合して緊締させると、ナット部材２１の上端面とカバー板２４の上面とが略面一となって収納凹部１８の上部が遮蔽される。【選択図】図１
0003141620.tif 000002
【実用新案登録請求の範囲】
【請求項１】
排水溝路に設けられた蓋受枠に乗載される溝蓋を該蓋受枠に固定するための溝蓋の固定装置であって、
前記蓋受枠に立設された螺子杆と、
該螺子杆に対応する溝蓋の所定位置に配設され、下部に前記螺子杆を下方から挿通可能な透孔が形成された底板を備える収納凹部と、
上端部に回動操作用工具が係合可能な係合溝が形成され、かつ下端部に前記螺子杆と螺合可能な螺子孔が形成されるとともに、下端面が前記底板に当接した状態で上端面が前記溝蓋の上面と略面一となる長さ寸法で形成されたナット部材と、
上面が前記溝蓋の上面と略面一となる状態で前記収納凹部の上部に固設され、前記ナット部材が上方から挿通可能な挿通孔が開口されて、該挿通孔以外の部分で前記収納凹部の上部を遮蔽するカバー板と
を備えてなることを特徴とする溝蓋の固定装置。
【考案の詳細な説明】
【技術分野】
【０００１】
本考案は、道路の側部に設けられた側溝や道路を横断するように設けられた横断溝等の排水溝路に被着される溝蓋を、蓋受枠に固定するための固定装置に関する。
【背景技術】
【０００２】
一般に、側溝や横断溝等の排水溝路の上部開口を覆う溝蓋は、排水溝路の上部に配設された蓋受枠に乗載した状態で、排水溝路に着脱可能に被着されているが、単に溝蓋を蓋受枠に乗載しただけの状態では、人や自動車の通行によって溝蓋がガタ付いて騒音が発生したり、自動車の通行による衝撃で被着位置からずれるという不具合がある。
【０００３】
このような不具合を解消するために、ボルトとナットにより溝蓋を蓋受枠に固定するようにした溝蓋の固定装置が知られている（例えば、特許文献１参照）。これは、図６に示すように、排水溝路ａの上部に配設された蓋受枠ｂにボルトｃを立設する一方、該ボルトｃに対応する溝蓋ｄの下面の所定位置に、ボルト挿通孔ｆを備えた底板ｅを配設し、該底板ｅのボルト挿通孔ｆに下方から挿通させた前記ボルトｃの突出端にナットｇを螺合させて緊締することにより、溝蓋ｄを蓋受枠ｂに固定するようにしたものである。
【０００４】
また、図７に示すように、前記ナットｇの装着部に生じる凹状の空間部ｈに断面コ字形のキャップｊを嵌合し、該キャップｊによって空間部ｈを塞ぐようにした構成も知られている（特許文献２参照）。
【特許文献１】特開２０００−４５３７６号公報（段落番号［０００２］、図１０）
【特許文献２】登録実用新案第３１３５４０１号公報（段落番号［０００４］、図７）
【考案の開示】
【考案が解決しようとする課題】
【０００５】
ところで、上述した特許文献１に開示されているような一般的な溝蓋の固定装置にあっては、ナットｇの回動操作にボックスレンチｋ（図６参照）が用いられるため、該ボックスレンチｋを上方から挿入し得る大きな凹状の空間部ｈがナットｇの装着部に形成される。このため、該空間部ｈにハイヒールの踵や杖の先端が嵌り易いという問題点があった。また、特許文献２に開示されているように、キャップｊによって空間部ｈを塞ぐようにした構成にあっては、キャップｊが遊嵌状に嵌め込まれているだけであるため、自動車の通行による衝撃で浮き上がったり、外れたりする虞があった。
【０００６】
本考案は、ナットの装着部における凹状の空間部をなくして歩行の安全性を確保し得るとともに、構成部材が衝撃で浮き上がったり、外れたりすることのない安定した固定状態が得られる溝蓋の固定装置を提供することを目的とするものである。
【課題を解決するための手段】
【０００７】
本考案は、排水溝路に設けられた蓋受枠に乗載される溝蓋を該蓋受枠に固定するための溝蓋の固定装置であって、前記蓋受枠に立設された螺子杆と、該螺子杆に対応する溝蓋の所定位置に配設され、下部に前記螺子杆を下方から挿通可能な透孔が形成された底板を備える収納凹部と、上端部に回動操作用工具が係合可能な係合溝が形成され、かつ下端部に前記螺子杆と螺合可能な螺子孔が形成されるとともに、下端面が前記底板に当接した状態で上端面が前記溝蓋の上面と略面一となる長さ寸法で形成されたナット部材と、上面が前記溝蓋の上面と略面一となる状態で前記収納凹部の上部に固設され、前記ナット部材が上方から挿通可能な挿通孔が開口されて、該挿通孔以外の部分で前記収納凹部の上部を遮蔽するカバー板とを備えてなることを特徴とする溝蓋の固定装置である。
【０００８】
ここで、排水溝路に設けられる蓋受枠としては、排水溝路の上部に配設される左右の支持枠と、該支持枠間に横架された蓋受杆とによって構成されて、該蓋受杆上に溝蓋を乗載するようにしたものが適用され、この場合には、螺子杆が蓋受杆に立設される。また、他の蓋受枠としては、水平縁部と該水平縁部の外端から立ち上がる垂直縁部とを備え、排水溝路の上部内縁に左右一対で配設されて、前記両水平縁部上に溝蓋の左右側縁を乗載するようにしたものが適用され、この場合には、螺子杆が水平縁部に立設される。
【考案の効果】
【０００９】
本考案によれば、カバー板の挿通孔から収納凹部内に挿入したナット部材を螺子杆に螺合して緊締させることにより、ナット部材の上端面とカバー板の上面とが略面一となる状態で、ナット部材の緊締作用を介して溝蓋を蓋受枠に固定することができる。ここで、ナット部材は上端部に形成された係合溝に係合される回動操作用工具によって回動し得るので、ナット部材の周囲にボックスレンチｋ（図６参照）の挿入を許容する隙間を形成する必要がない。そして、溝蓋の固定状態にあっては、ナット部材の上端面とカバー板の上面とが溝蓋の上面と略面一となり、該ナット部材の上端面とカバー板の上面とによって収納凹部の上部を遮蔽することができるため、従来のような凹状の空間部ｈ（図６参照）が生じることがなく、これによって歩行の安全性が確保される。また、ナット部材は螺子杆に緊締状態で螺着され、カバー板は収納凹部の上部に固設されていることにより、これらの構成部材が衝撃で浮き上がったり、外れたりすることのない安定した固定状態が得られる。
【考案を実施するための最良の形態】
【００１０】
以下に、本考案にかかる溝蓋の固定装置の第一実施例を、図１〜図３に基づいて説明する。
排水溝路１は、図１に示すように、底壁３と左右の側壁４，４とによって断面略Ｕ字状に形成されたＵ字溝を、地盤の所定深さ位置に一列状に埋設することによって構築されている。
【００１１】
この排水溝路１の上部には蓋受枠２が配設されている。この第一実施例では該蓋受枠２が、夫々垂直な立ち上がり縁６に水平縁７が連成された断面Ｌ形の左右一対の支持枠５，５と、両支持枠５，５の立ち上がり縁６，６に両端が接合されて支持枠５，５間に横架された複数の蓋受杆８とによって構成されている。両支持枠５，５は、鉄鋼又はステンレス鋼からなる金属板を素材にして形成されており、その長さは、排水溝路１の長手方向に沿う所定の長さとなっている。尚、各支持枠５の立ち上がり縁６と水平縁７は、図１に示すように、一枚の金属板を断面Ｌ形に屈曲させて形成してもよいし、二枚の金属板を溶接によって断面Ｌ形となるように接合して形成することも可能である。一方、各蓋受杆８は金属製の角パイプからなり、後述する溝蓋１３の、その少なくとも長手方向の両端近傍部に対応する位置に配設されている。また、該位置に配設される各蓋受杆８には、その幅方向の中間部に螺子杆９が夫々立設されている。該螺子杆９は、蓋受杆８に下方から挿通されて、蓋受杆８の上方に所定長さで突出するボルトの雄螺子部によって構成されており、該ボルトの頭部は蓋受杆８の下面に溶接を介して回動不能に固着されている。
【００１２】
尚、前記蓋受枠２は、排水溝路１の側壁４，４上に適宜の固定手段（図示省略）を介して固定されており、このような固定状態において、左右の水平縁７，７上には、排水溝路１の周囲上部に敷設されるコンクリート１１やタイル１２等の舗装材１０が連続状に敷設されている。
【００１３】
前記蓋受枠２の各蓋受杆８上には溝蓋１３が乗載されている。該溝蓋１３は、支持枠５，５の長手方向に沿って所定間隔で並列する複数のメインバー１４と該メインバー１４に直交する適数本のクロスバー１５とが格子状に組み付けられ、その長手方向の両端部にエンドバー１６が接合された金属製のグレーチングからなり、蓋受杆８に乗載されることによって、支持枠５，５の立ち上がり縁６，６間に設けられた開口部１７を通水可能に覆っている。尚、各メインバー１４の相互間隔は、少なくともハイヒールの踵や杖の先端が嵌り難い９ｍｍ以下の所定間隔に設定されている。
【００１４】
溝蓋１３の長手方向の両端近傍部には、前記蓋受枠２の螺子杆９に対応する位置に収納凹部１８が設けられている。該収納凹部１８は、相互に隣接する適数本（図示した例では二本）のメインバー１４の端部を切除することによって、その側部に位置する二本のメインバー１４，１４とエンドバー１６とによって三方が囲繞された空間部となっており、該空間部の底部に矩形状の底板１９が配設されている。該底板１９はその三辺縁が前記二本のメインバー１４，１４とエンドバー１６の側面に溶接を介して固着されており、該底板１９には、前記螺子杆９を下方から挿通可能な透孔２０が形成されている。
【００１５】
前記透孔２０に挿通される螺子杆９は、収納凹部１８内でナット部材２１が螺合可能な所定高さ位置まで突出する長さ寸法に設定されており、該螺子杆９の突出端にはナット部材２１が螺合される。該ナット部材２１は、その下端面が前記底板１９に当接した状態で上端面が前記溝蓋１３の上面と略面一となる長さ寸法で円柱状に形成されており、上端部に回動操作用工具としてのマイナスドライバーの先端が係合可能な係合溝２２としてのすりわり溝が形成されている。また、ナット部材２１の下端部には、前記螺子杆９と螺合可能な螺子孔２３が形成されている。尚、ナット部材２１は円柱状に限定されるものではなく、角柱状であってもよい。また、前記係合溝２２としては、横断面形状が四角，六角等を呈する所定深さの角溝であってもよく、この場合には、該角溝に嵌合可能な角棒部を先端に備えた角棒レンチが回動操作用工具として用いられ得る。
【００１６】
また、前記収納凹部１８の上部には、上面が前記溝蓋１３の上面と略面一となる状態で矩形状のカバー板２４が配設されている。該カバー板２４はその三辺縁が前記二本のメインバー１４，１４とエンドバー１６の側面に溶接を介して固着されている。該カバー板２４には、前記ナット部材２１を上方から挿通可能な挿通孔２５が形成されており、該挿通孔２５以外の部分によって収納凹部１８の上部が遮蔽されている。尚、挿通孔２５の直径は、ナット部材２１の横幅寸法より僅かに大きい寸法に設定されており、これによって、ナット部材２１の外周部と挿通孔２５の内周面との間に生じる間隙が可及的に小さくなるようにしている。
【００１７】
そして、上述した螺子杆９、収納凹部１８、ナット部材２１及びカバー板２４とによって溝蓋１３の固定装置２９が構成されている。
【００１８】
かかる構成にあって、溝蓋１３を蓋受杆８に乗載し、該蓋受杆８に立設されている螺子杆９を底板１９の透孔２０に下方から挿通させた状態において、カバー板２４の挿通孔２５から収納凹部１８内に挿入したナット部材２１を螺子杆９に螺合して緊締させることにより、ナット部材２１の上端面とカバー板２４の上面とが略面一となる状態で、ナット部材２１の緊締作用を介して溝蓋１３が蓋受枠２に固定される。ここで、ナット部材２１は上端部に形成された係合溝２２に係合される回動操作用工具（図示省略）によって回動し得るので、ナット部材２１の周囲にボックスレンチｋ（図６参照）の挿入を許容する隙間を形成する必要がない。そして、溝蓋１３の固定状態にあっては、ナット部材２１の上端面とカバー板２４の上面とが溝蓋１３の上面と略面一となり、該ナット部材２１の上端面とカバー板２４の上面とによって収納凹部１８の上部を遮蔽することができるため、従来のような凹状の空間部ｈ（図６参照）が生じることがなく、これによって歩行の安全性が確保される。また、ナット部材２１は螺子杆９に緊締状態で螺着され、カバー板２４は収納凹部１８の上部に固設されていることにより、これらの構成部材が衝撃で浮き上がったり、外れたりすることのない安定した固定状態が得られる。
【００１９】
図４，図５は第二実施例を示し、この第二実施例における排水溝路１は、地盤の所定深さ位置に断面略コ字形に打設したコンクリートにより構築されている。この排水溝路１の対向する上部内縁には、図４に示すように、水平縁部２７と該水平縁部２７の外端から立ち上がる垂直縁部２８とを備えた金属製アングル材からなる略Ｌ形の蓋受枠２６，２６が排水溝路１の長手方向に沿って夫々配設されており、各蓋受枠２６の水平縁部２７に溝蓋１３の左右の側縁が夫々乗載される。そして、該水平縁部２７に上述した固定装置２９を構成する螺子杆９が立設されている。また、固定装置２９を構成する収納凹部１８は該螺子杆９の立設位置に対応させて溝蓋１３の側部に偏倚させて配設されている。尚、溝蓋１３は、複数のメインバー１４が蓋受枠２６に直交する向きで排水溝路１の長手方向に沿って所定間隔（９ｍｍ以下）で並列されており、各メインバー１４の左右両端部にサイドバー１６’が配設されている。その他、収納凹部１８の下部に設けられる透孔２０を備えた底板１９、収納凹部１８の上部に設けられる挿通孔２５を備えたカバー板２４、及び前記螺子杆９に螺合されるナット部材２１の構成は第一実施例と同じであり、これらの構成部分には第一実施例と同じ符号を付して重複する説明を省略する。
【００２０】
かかる構成にあって、溝蓋１３の側縁を蓋受枠２６の水平縁部２７に乗載し、該水平縁部２７に立設されている螺子杆９を底板１９の透孔２０に下方から挿通させた状態において、カバー板２４の挿通孔２５から収納凹部１８内に挿入したナット部材２１を螺子杆９に螺合して緊締させることにより、ナット部材２１の上端面とカバー板２４の上面とが略面一となる状態で、ナット部材２１の緊締作用を介して溝蓋１３が蓋受枠２６に固定される。ここで、ナット部材２１は上端部に形成された係合溝２２に係合される回動操作用工具（図示省略）によって回動し得るので、ナット部材２１の周囲にボックスレンチｋ（図６参照）の挿入を許容する隙間を形成する必要がない。そして、溝蓋１３の固定状態にあっては、ナット部材２１の上端面とカバー板２４の上面とが溝蓋１３の上面と略面一となり、該ナット部材２１の上端面とカバー板２４の上面とによって収納凹部１８の上部を遮蔽することができるため、従来のような凹状の空間部ｈ（図６参照）が生じることがなく、これによって歩行の安全性が確保される。また、ナット部材２１は螺子杆９に緊締状態で螺着され、カバー板２４は収納凹部１８の上部に固設されていることにより、これらの構成部材が衝撃で浮き上がったり、外れたりすることのない安定した固定状態が得られる。
【図面の簡単な説明】
【００２１】
【図１】第一実施例にかかる固定装置２９を備えた溝蓋１３の施工状態を示す縦断正面図である。
【図２】同上の固定装置２９を備えた溝蓋１３の平面図である。
【図３】同上の固定装置２９を備えた溝蓋１３の縦断側面図である。
【図４】第二実施例にかかる固定装置２９を備えた溝蓋１３の施工状態を示す縦断正面図である。
【図５】同上の固定装置２９を備えた溝蓋１３の平面図である。
【図６】従来の溝蓋の固定装置を示す縦断面図である。
【図７】従来のキャップｊを示す斜視図である。
【符号の説明】
【００２２】
１  排水溝路
２  蓋受枠
９  螺子杆
１３  溝蓋
１８  収納凹部
１９  底板
２０  透孔
２１  ナット部材
２２  係合溝
２３  螺子孔
２４  カバー板
２５  挿通孔
２６  蓋受枠
２９  固定装置
【図１】
0003141620.tif 000003
【図２】
0003141620.tif 000004
【図３】
0003141620.tif 000005
【図４】
0003141620.tif 000006
【図５】
0003141620.tif 000007
【図６】
0003141620.tif 000008
【図７】
0003141620.tif 000009